(57)【要約】【課題】外観形状の異なる複数のコネクタに対して、ただ１種類の押さえ金具を用いることができるようにして、作業上の手間、部材の無駄を無くすことができるコネクタの抜け止め構造を提供すること。【解決手段】電子機器筐体１に備えられたインレット端子２に装着されたコネクタ１１の抜け止め構造であって、電子機器筐体１に取り付けられる押さえ金具２０を備え、押さえ金具２０は、電子機器筐体への取り付け部２０ｃと、コネクタ１１の電子機器筐体から突出した領域１１ｂを、その上下何れかの方向から押圧する押圧部２０ｆとを備える。【選択図】図１
2007323962.tif 000002
【特許請求の範囲】
【請求項１】
電子機器筐体に備えられたインレット端子に装着されたコネクタの抜け止め構造であって、
前記電子機器筐体に取り付けられる押さえ金具を備え、
前記押さえ金具は、前記電子機器筐体への取り付け部と、前記コネクタの前記電子機器筐体から突出した領域を、その上下何れかの方向から押圧する押圧部とを備えること、
を特徴とするコネクタの抜け止め構造。
【請求項２】
前記押圧部は、前記コネクタの挿抜方向に対して鋭角に延びるものであって、前記コネクタの前記電子機器筐体から突出した領域に対して押圧される押圧片を備えること、
を特徴とする請求項１に記載のコネクタの抜け止め構造。
【請求項３】
前記押圧部は、前記コネクタの挿抜方向に沿って形成されるものであって、前記コネクタの前記電子機器筐体から突出した領域の幅方向における両側位置に押圧される押圧片を備えること、
を特徴とする請求項１に記載のコネクタの抜け止め構造。
【請求項４】
前記押圧片における前記コネクタに対する押圧面を、前記コネクタの挿抜方向に沿って前記電子機器筐体から離れるに伴って前記コネクタに向けて突出する傾斜面としたこと、
を特徴とする請求項３に記載のコネクタの抜け止め構造。
【請求項５】
前記押さえ金具は、前記電子機器筐体に対して着脱自在に取り付けられ、
前記コネクタを前記インレット端子に装着した状態で、前記押さえ金具を前記電子機器筐体に対して装着自在としたこと、
を特徴とする請求項１から４のいずれか一項に記載のコネクタの抜け止め構造。
【請求項６】
前記コネクタは、ＡＣケーブル用コネクタであること、
を特徴とする請求項１から５のいずれか一項に記載のコネクタの抜け止め構造。
【発明の詳細な説明】
【技術分野】
【０００１】
本発明は、電子機器筐体のインレット端子に装着されたコネクタの抜け止め構造に関する。
【背景技術】
【０００２】
永続的な稼働が必要とされる特定の電子機器、例えば、中継放送局装置などにおいては、システムの停止が甚大な損害を引き起こす可能性があり、このため、この種の機器に対する不断の電力供給が極めて重要である。従って、これらの機器に対するメンテナンス作業時における不注意や、地震などによる震動によって、電源ケーブルのコネクタが機器のインレット端子から外れないように、安全対策を施しておくことが好ましい。
【０００３】
従来、このような安全対策を行う方法として、機器のインレット端子に接続したコネクタに対して、この抜けを押さえるような働きをする補助金具を用いる方法が用いられていた。具体的には、機器に針金状のロック部材を取り付け、このロック部材をコネクタの段差部分に掛け回すようにして、不慮の引き抜き力に抗して、その抜けができないようにしていた（例えば特許文献１参照）。
【０００４】
【特許文献１】特開平６−５３３１号公報
【発明の開示】
【発明が解決しようとする課題】
【０００５】
しかしながら、この種のロック部材を用いてケーブルの抜けを防止する方法では、以下のような問題が生じていた。すなわち、通常、インレット端子の形状は規格化されて一種類のみであるものの、これに接続される電源ケーブルのコネクタの外観形状、特にその挿抜方向における長さは、その製造メーカーによって相当程度異なっている。このため、従来は、形状の異なるコネクタに合わせて、ロック部材を複数種類用意する必要があった。
【０００６】
本発明は、上記に鑑みてなされたものであって、外観形状の異なる複数のコネクタに対して、ただ１種類の押さえ金具を用いてコネクタ固定を行うことを可能とし、作業上の手間、部材の無駄を無くすことができる、コネクタの抜け止め構造を提供することを目的とする。
【課題を解決するための手段】
【０００７】
上述した課題を解決し、目的を達成するために、請求項１に記載のコネクタの抜け止め構造は、電子機器筐体に備えられたインレット端子に装着されたコネクタの抜け止め構造であって、前記電子機器筐体に取り付けられる押さえ金具を備え、前記押さえ金具は、前記電子機器筐体への取り付け部と、前記コネクタの前記電子機器筐体から突出した領域を、その上下何れかの方向から押圧する押圧部とを備えること、を特徴とする。
【０００８】
また、請求項２に記載のコネクタの抜け止め構造は、請求項１に記載のコネクタの抜け止め構造において、前記押圧部は、前記コネクタの挿抜方向に対して鋭角に延びるものであって、前記コネクタの前記電子機器筐体から突出した領域に対して押圧される押圧片を備えること、を特徴とする。
【０００９】
また、請求項３に記載のコネクタの抜け止め構造は、請求項１に記載のコネクタの抜け止め構造において、前記押圧部は、前記コネクタの挿抜方向に沿って形成されるものであって、前記コネクタの前記電子機器筐体から突出した領域の幅方向における両側位置に押圧される押圧片を備えること、を特徴とする。
【００１０】
また、請求項４に記載のコネクタの抜け止め構造は、請求項３に記載のコネクタの抜け止め構造において、前記押圧片における前記コネクタに対する押圧面を、前記コネクタの引き抜き方向に至るに伴って前記コネクタに向けて突出する傾斜面としたこと、を特徴とする。
【００１１】
また、請求項５に記載のコネクタの抜け止め構造は、請求項１から４のいずれか一項に記載のコネクタの抜け止め構造において、前記押さえ金具は、前記電子機器筐体に対して着脱自在に取り付けられ、前記コネクタを前記インレット端子に装着した状態で、前記押さえ金具を前記電子機器筐体に対して装着自在としたこと、を特徴とする。
【００１２】
また、請求項６に記載のコネクタの抜け止め構造は、請求項１から５のいずれか一項に記載のコネクタの抜け止め構造において、前記コネクタは、ＡＣケーブル用コネクタであること、を特徴とする。
【発明の効果】
【００１３】
請求項１に記載の本発明によれば、コネクタは、その電子機器筐体から突出した領域を、その上下何れかの方向から押圧され、その押圧力によって、不測の事象によるコネクタの引き抜き力に抗することができる。この場合において、この種の電子機器に採用されるコネクタの前記領域の厚みは、その製造メーカーが異なっても、比較的に寸法的なばらつきが小さいことが分かっている。その結果、このように異なるコネクタに対して、本発明に係るただ１種類の押さえ金具を用いることができ、従って、コネクタの形状毎に押さえ金具を用意する必要が無くなる。
【００１４】
また、請求項２に記載の本発明によれば、押圧片が、コネクタの抜き方向に対して鋭角に延びているので、押さえ金具を装着した状態でコネクタに引き抜き力が掛かると、前記コネクタに対する押圧片の押圧力が高まり、その結果、コネクタを一層抜け難くすることができる。
【００１５】
また、請求項３に記載の本発明によれば、押圧片が、コネクタの挿抜方向に沿って形成されて、コネクタの幅方向における両側位置に押圧されるので、コネクタに対する押圧力がその両側において均等に作用し、その結果、コネクタを一層抜け難くすることができる。
【００１６】
また、請求項４に記載の本発明によれば、押圧面を、コネクタの挿抜方向に沿って電子機器筐体から離れるに伴ってコネクタに向けて突出する傾斜面としたので、電子機器筐体から離れるにつれてコネクタに対する押圧力が大きくなり、コネクタを電子機器筐体に向けて押圧することができ、コネクタの引き抜き力に対する抵抗力を一層大きくすることができる。
【００１７】
また、請求項５に記載の本発明によれば、コネクタを電子機器筐体へ装着した状態で容易にして押さえ金具を装着することができ、その作業性を向上させることができる。
【００１８】
また、請求項６に記載の本発明によれば、コネクタが、ＡＣケーブルのコネクタであり、特にこの種のケーブルのコネクタにおいては、その厚みにおけるメーカー間の寸法ばらつきが小さいことが分かっているため、異なるメーカー間のコネクタに対しても、ただ１つの押さえ金具によって、良好にその抜け止めを図ることができる。
【発明を実施するための最良の形態】
【００１９】
以下に添付図面を参照して、この発明に係るコネクタの抜け止め構造の各実施の形態を詳細に説明する。まず、〔Ｉ〕各実施の形態に共通の基本的概念を説明した後、〔II〕各実施の形態の具体的内容について説明し、〔III〕最後に、各実施の形態に対する変形例について説明する。ただし、各実施の形態によって本発明が限定されるものではない。
【００２０】
〔Ｉ〕各実施の形態に共通の基本的概念
まず、各実施の形態に共通の基本的概念について説明する。各実施の形態に係るコネクタの抜け止め構造は、中継放送局装置などの電子機器筐体のインレット端子に装着されたＡＣケーブルのコネクタが、不測の事象により引き抜かれないようにするためのものである。もっとも本発明は、このような電子機器やコネクタだけでなく、更に他の種類の、例えば、アウトレット端子に装着されるコネクタや通信ケーブルのコネクタにも適用できるものである。
【００２１】
このコネクタの抜け止め構造の特徴の一つは、前記コネクタの前記電子機器筐体から突出した領域を、その上下何れかの方向から押圧する押圧部を備えることにある。本件出願人は、この種のコネクタにおいては、その厚みにおけるメーカー間の寸法ばらつきが小さいことを発見した。そして、本発明は、この点を利用し、異なるメーカー間のコネクタに対しても、ただ１つの押さえ金具によって、良好にその抜け止めを図るものである。
【００２２】
〔II〕各実施の形態の具体的内容
〔実施の形態１〕
次に、本発明に係る各実施の形態の具体的内容について説明する。まず、実施の形態１について説明する。ここでは、実施の形態１に係るコネクタの抜け止め構造と、押さえ金具の装着手順について順次説明する。図１〜図４は、実施の形態１に係るコネクタの抜け止め構造に関わるもので、図１は、押さえ金具の装着状態を示す斜視図、図２は、押さえ金具を装着する前のコネクタ接続部分の斜視図、図３は、押さえ金具の一部を破断して示す斜視図、図４は、押さえ金具の装着状態における断面図である。
【００２３】
（電子機器筐体及びＡＣケーブルの構成）
まず、電子機器筐体１のコネクタ接続部分、及びここに接続されるＡＣケーブルについて説明する。図２に示すように、電子機器筐体１は、その一面（例えば、背面）に、ＡＣケーブル１０のコネクタ１１を接続するためのインレット端子２を備えている。インレット端子２は、所定の電子規格に準拠した内寸法形状を有しており、ここに、メーカーの異なる各種のＡＣケーブルのコネクタを嵌め込みして、電気的に接続できるようになっている。電子機器筐体１のこのインレット端子２の両側には、縦に伸びる一対のスリット１ａ、１ａ、及び、ロック穴１ｂ、１ｂが形成されている。これらのスリット１ａ及びロック穴１ｂは、後に説明する押さえ金具２０を、電子機器筐体１に対して着脱可能に固定するためのものである。
【００２４】
インレット端子２に接続されるＡＣケーブル１０は、その接続端子としてのコネクタ１１を備えている。コネクタ１１は、例えば金属製又は樹脂製であり、インレット端子２内に嵌め込まれる先端の嵌合部１１ａと、作業者の手持ち部となる基部１１ｂで構成されている。図１において示されるように、このコネクタ１１は、電子機器筐体１に接続された状態、すなわち、その嵌合部１１ａがインレット端子１に嵌め込まれた状態で、その基部１１ｂが、電子機器筐体１から突出した位置にある。通常、作業者はこの基部１１ｂを指で挟んで、インレット端子２に対するコネクタ１１の抜き差しを行う。
【００２５】
（押さえ金具の構成）
次に、前記電子機器筐体１のコネクタ接続部分に装着される、押さえ金具２０の構成について説明する。押さえ金具２０は、図３に示されるように、金属板を所定形状に打ち抜きして、概略コの字状に曲折してなるもので、上部２０ａと、その両側の垂直部２０ｂを有する。垂直部２０ｂの後方側は、電子機器筐体１への取り付け部２０ｃとなっており、その上部の溝部２０ｄを利用して、図２に示した電子機器筐体１のスリット１ａ内に挿入できるようになっている。また、取り付け部２０ｃの下部には、前方向きに突起部２０ｅが形成されている。この突起部２０ｅは、図２に示したロック穴１ｂに、電子機器筐体１の裏側から嵌合して、押さえ金具２０を電子機器筐体１に対してしっかりと固定する。この取り付け部２０ｃを介した押さえ金具２０の取り付けは、電子機器筐体１にコネクタ１１を差し込んだ後に行われるが、この手順については後述する。
【００２６】
押さえ金具２０は、また、その上部２０ａに、押圧片２０ｆを有する。押圧片２０ｆは、押さえ金具２０の上部２０ａをコの字型に切り欠いて、その先端側を下方に曲折して形成したものであり、押さえ金具２０を電子機器筐体１に取り付けた状態で、その先端が機器側に向くようにされている。押圧片２０ｆの曲折量、すなわちその先端の高さ位置は、インレット端子２に挿入されるコネクタ１１の厚みに応じて決定されるが、これについては後述する。この実施の形態において押圧片２０ｆの幅は、コネクタ１１との接触面積を多く取れるようにするために、コネクタ１１の幅と同程度とすることが好ましい。
【００２７】
（押さえ金具の電子機器筐体への取り付け状態）
次に、押さえ金具２０の電子機器筐体１への取り付け状態について説明する。図１及び図４に示されるように、押さえ金具２０は、ＡＣケーブル１０のコネクタ１１が電子機器筐体１のインレット端子２へ挿入されている状態で、その上方部を覆うように装着される。この状態において押さえ金具２０の押圧片２０ｆの先端部は、コネクタ１１の基部１１ｂの上面に強く接触しており、コネクタ１１は、インレット端子２の嵌合部における下面壁２ａ（図４を参照）と、この押圧片２０ｆとによって挟まれた状態となっている。作業者が足を引っ掛ける等の不測の事象によって、電子機器筐体１に対してＡＣケーブル１０が引っ張られた場合、インレット端子２に対するコネクタ１１の嵌合力に加えて、前記押圧片２０ｆによる押圧力によって、コネクタ１１はインレット端子２から極めて抜け難いものとなっている。
【００２８】
特に、この実施の形態においては、コネクタ１１が引っ張られると、押圧片２０ｆの先端がその上部に食い込むように作用するので、この固定力は強固なものである。なお、ＡＣケーブルのコネクタ１１においては、その厚み（図４におけるｔ）は、メーカーによる寸法ばらつきが比較的小さいが、そのばらつきの幅を考慮して、押圧片２０ｆの折り曲げ量を定める。いずれのコネクタ１１を使用する場合においても、押さえ金具２０を電子機器筐体１に完全に取り付けた状態で、押圧片２０ｆの先端が若干撓む程度にすることが好ましい。
【００２９】
（押さえ金具の装着手順）
次に、押さえ金具２０を、電子機器筐体１に装着する手順について説明する。前述したように、押さえ金具２０は、ＡＣケーブル１０のコネクタ１１を電子機器筐体１のインレット端子２に差し込んだ後に、装着される。図５〜図７は、押さえ金具２０の装着の手順を説明するための側断面図である。押さえ金具２０は、図５に示されるように、最初、電子機器筐体１のスリット１ａに対して、その取り付け部２０ｃの上部を挿入し、溝部２０ｄがスリット１ａの上端に来る位置まで持ち上げられる。このようにすることで、取り付け部２０ｃ下端に形成された突起部２０ｅは、スリット１ａの内側にくぐり抜けできる位置に来る。
【００３０】
この状態から、取り付け部２０ｃの下部をスリット１ａの内側に押し込み、図６に示すように、突起部２０ｅがスリット１ａを完全に超えたところで、押さえ金具２０全体を下方に引き下げる。このようにすることで、突起部２０ｅは、ロック穴１ｂに至り、ここに弾発的に係合し、押さえ金具２０は、図７に示すように、電子機器筐体１にしっかりと固定されることとなる。このとき、押さえ金具２０の上部に形成された押圧片２０ｆの先端が、コネクタ１１の基部１１ｂに当接されて、これを下方に押しつける働きをする。押圧片２０ｆの働きについては前述したとおりである。
【００３１】
一方で、電子機器筐体１から押さえ金具２０を取り外す場合は、押さえ金具２０の突起部２０ｅを、ドライバなどの先端が尖った工具を用いて、ロック穴１ｂから押し外し、前記手順とは逆の手順で、押さえ金具２０を引き上げてその取り付け部２０ｃをスリット１ａから抜き出せばよい。
【００３２】
（実施の形態１の効果）
以上のように本実施の形態１によれば、比較的簡単な構造の金具により、確実にコネクタの抜け止めが図られ、しかも、メーカーが異なる等によってコネクタの形状が変わる場合においても、押圧片による安定的な固定が達成され、その機能が損なわれることはない。
【００３３】
〔実施の形態２〕
次に、本発明に係る実施の形態２の具体的内容について説明する。この実施の形態２は、コネクタ１１の下面両側を下方から押圧する構造の押さえ金具を用いた形態である。図８〜図１１は、実施の形態２に係る押さえ金具を用いたコネクタの抜け止め構造に関わるもので、図８は、押さえ金具の装着状態を示す斜視図、図９は、押さえ金具を装着する前のコネクタ接続部分の斜視図、図１０は、押さえ金具の斜視図、図１１は、押さえ金具の装着状態における正面図である。なお、実施の形態２の構成は特記する場合を除いて実施の形態１の構成と略同一であり、実施の形態１の構成と略同一の構成についてはこの実施の形態１で用いたのと同一の符号を必要に応じて付して、その説明を省略する。
【００３４】
（電子機器筐体及びＡＣケーブルの構成）
本実施の形態においても、電子機器筐体１のコネクタ接続部と、コネクタ１１を備えたＡＣケーブル１０の基本的な構成は、実施の形態１と同じであるが、電子機器筐体１には、そのインレット端子２の両側に、スリット１ａ、１ａのみが形成されている。スリット１ａは、後述する押さえ金具３０の取り付け部の形状に合わせて、その幅及び長さが決定される。
【００３５】
（押さえ金具の構成）
次に、前記電子機器筐体１のコネクタ接続部分に装着される、押さえ金具３０の構成について説明する。押さえ金具３０は、図３に示されるように、先の実施形態と同様に、金属板を所定形状に打ち抜きして、概略コの字状に曲折してなるもので、上部３０ａと、その両側の垂直部３０ｂを有する。垂直部３０ｂの後方側は、電子機器筐体１への取り付け部３０ｃとなっており、その上部の溝部３０ｄを利用して、図９に示した電子機器筐体１のスリット１ａ内に挿入できるようになっている。また、取り付け部３０ｃの下部には、係合溝３０ｅが形成されている。この係合溝３０ｅは、電子機器筐体１のスリット１ａの下端に係合して、押さえ金具３０を電子機器筐体１に対してしっかりと固定する。この取り付け部３０ｃを介した押さえ金具３０の取り付けは、電子機器筐体１にコネクタ１１を差し込んだ後に行われるが、この手順については後述する。
【００３６】
押さえ金具３０は、また、その垂直部３０ｂの下端に、一対の押圧片３０ｆを有する。押圧片３０ｆは、押さえ金具３０の垂直部３０ｂの下端を、コネクタ１１の挿抜方向に沿って、その対向側に折り曲げて形成したものである。押圧片３０ｆの曲折量、すなわちその先端の高さ位置は、インレット端子２に挿入されるコネクタ１１の厚みに応じて決定されるが、これについては後述する。
【００３７】
（押さえ金具の電子機器筐体への取り付け状態）
次に、押さえ金具３０の電子機器筐体１への取り付け状態について説明する。図８及び図１１に示されるように、押さえ金具３０は、ＡＣケーブル１０のコネクタ１１が電子機器筐体１のインレット端子２へ挿入されている状態で、その上方部を覆うように装着される。この状態において押さえ金具３０の押圧片３０ｆの先端部は、コネクタ１１の基部１１ｂの下面両側に強く接触しており、コネクタ１１は、インレット端子２の嵌合部における上面壁２ａ（図９を参照）と、この押圧片３０ｆとによって挟まれた状態となっている。作業者が足を引っ掛ける等の不測の事象によって、電子機器筐体１に対してＡＣケーブル１０が引っ張られた場合、インレット端子２に対するコネクタ１１の嵌合力に加えて、前記押圧片３０ｆによる押圧力によって、コネクタ１１はインレット端子２から極めて抜け難いものとなっている。この場合において、押圧片３０ｆは、コネクタ１１の挿抜方向に沿って形成されて、その先端がコネクタの幅方向における両側位置に押圧されるので、コネクタ１１に対する押圧力がその両側において均等に作用し、その結果、コネクタは一層抜け難くなる。なお、ＡＣケーブルのコネクタ１１においては、その厚み（図１１におけるｔ）は、メーカーによる寸法ばらつきが比較的小さいが、そのばらつきの幅を考慮して、押圧片３０ｆの折り曲げ量を定める。いずれのコネクタ１１を使用する場合においても、押さえ金具３０を電子機器筐体１に完全に取り付けた状態で、押圧片３０ｆの先端が若干撓む程度にすることが好ましい。
【００３８】
（押さえ金具の装着手順）
次に、押さえ金具３０を、電子機器筐体１に装着する手順について説明する。前述したように、押さえ金具３０は、ＡＣケーブル１０のコネクタ１１を電子機器筐体１のインレット端子２に差し込んだ後に、装着される。図１２及び図１３は、押さえ金具３０の装着の手順を説明するための側断面図である。押さえ金具３０は、図１２に示されるように、最初、電子機器筐体１のスリット１ａに対して、その取り付け部３０ｃの上部を挿入し、溝部３０ｄがスリット１ａの上端に来る位置まで持ち上げられる。このようにすることで、取り付け部３０ｃの下端がスリット１ａの内側にくぐり抜けできる位置に来る。
【００３９】
この状態から、取り付け部３０ｃの下部をスリット１ａの内側に押し込み、取り付け部３０ｃの下端がスリット１ａを完全に超えたところで、押さえ金具３０全体を下方に引き下げる。このようにすることで、係合溝３０ｅは、スリット１ａの下部に至り、ここに係合して、押さえ金具３０は、図１３に示すように、電子機器筐体１にしっかりと固定されることとなる。押さえ金具３０の装着の過程で、押さえ金具３０の垂直部３０ｂに形成された押圧片３０ｆの先端は、コネクタ１１の基部１１ｂの側面に当たって内側に変形され（同時に、垂直部３０ｂが外側に変形する）、図１３に示す押さえ金具３０の固定位置において、コネクタ１１の下方に抜けて復帰し、下側からコネクタ１１を支える形となる。
【００４０】
一方で、電子機器筐体１から押さえ金具３０を取り外す場合は、押さえ金具３０の垂直部３０ｂを外側に開きつつ、コネクタ１１に対する押圧片３０ｆの係合を解除し、前記手順とは逆の手順で、押さえ金具３０を引き上げてその取り付け部３０ｃをスリット１ａから抜き出せばよい。
【００４１】
（実施の形態２の効果）
本実施の形態２によれば、実施の形態１と同様に、比較的簡単な構造の金具により、確実にコネクタの抜け止めが図られ、しかも、メーカーが異なる等によってコネクタの形状が変わる場合においても、押圧片による安定的な固定が達成され、その機能が損なわれることはない。
【００４２】
〔実施の形態３〕
次に、本発明に係る実施の形態３の具体的内容について説明する。この実施の形態３は、コネクタ１１の下面両側を下方から押圧する構造の押さえ金具を用いた実施の形態２とは別の形態である。図１４〜図１６は、実施の形態３に係るコネクタの抜け止め構造に関わるもので、図１４は、押さえ金具の装着状態を示す斜視図、図１５は、押さえ金具の斜視図、図１６は、押さえ金具の装着状態における正面図である。なお、実施の形態３の構成は特記する場合を除いて実施の形態２の構成と略同一であり、実施の形態２の構成と略同一の構成についてはこの実施の形態２で用いたのと同一の符号を必要に応じて付して、その説明を省略する。特に、本実施の形態における電子機器筐体１のコネクタ接続部と、コネクタ１１を備えたＡＣケーブル１０の基本的な構成は、実施の形態２の図９と同じである。
【００４３】
（押さえ金具の構成）
まず、前記電子機器筐体１のコネクタ接続部分に装着される、押さえ金具４０の構成について説明する。押さえ金具４０は、図１５に示されるように、先の実施形態と同様に、金属板を所定形状に打ち抜きして、概略コの字状に曲折してなるもので、上部４０ａと、その両側の垂直部４０ｂを有する。垂直部４０ｂの後方側は、電子機器筐体１への取り付け部４０ｃとなっており、その上部の溝部４０ｄを利用して、電子機器筐体１のスリット１ａ（図９参照）に挿入できるようになっている。また、取り付け部４０ｃの下部には、係合溝４０ｅが形成されている。この係合溝４０ｅは、電子機器筐体１のスリット１ａの下端に係合して、押さえ金具４０を電子機器筐体１に対してしっかりと固定する。この取り付け部４０ｃの構造は、実施の形態２の押さえ金具３０におけるものと同様である。
【００４４】
押さえ金具４０は、その垂直部４０ｂの略中央に垂直に伸びるスリット部４０ｇを形成して、その前方の垂直部４０ｂを、後方の取り付け部４０ｃ側から分離している。この後方から分離された垂直部４０ｂの下端に、一対の押圧片４０ｆが形成されている。押圧片４０ｆは、押さえ金具４０の垂直部４０ｂの下端を、その対向側に折り曲げて形成したものである。押圧片４０ｆの曲折量、すなわちその先端の高さ位置は、インレット端子２に挿入されるコネクタ１１の厚みに応じて決定されるが、この関係は実施の形態２の例と同様なので、ここではその説明を省略する。特に、押圧片４０ｆにおいてコネクタ１１を押圧する押圧面（押圧片４０ｆの上面）４０ｇは、コネクタの挿抜方向に沿って電子機器筐体１から離れるに伴ってコネクタ１１に向けて突出する傾斜面とされている。すなわち、電子機器筐体１から離れる程、押圧片４０ｆはその高さを増し、コネクタ１１をより大きな力で押圧する。従って、コネクタ１１を電子機器筐体１に向けて常時押圧することができ、コネクタ１１の引き抜き力に対する抵抗力が一層大きくなる。
【００４５】
（押さえ金具の電子機器筐体への取り付け状態）
次に、押さえ金具４０の電子機器筐体１への取り付け状態について説明する。図１４及び図１６に示されるように、押さえ金具４０は、ＡＣケーブル１０のコネクタ１１が電子機器筐体１のインレット端子２へ挿入されている状態で、その上方部を覆うように装着される。この状態において押さえ金具４０の押圧片４０ｆの先端部は、コネクタ１１の基部１１ｂの下面両側、かつ、その根元寄りに強く接触しており、コネクタ１１は、インレット端子２の嵌合部における上面壁２ａ（図９参照）と、この押圧片４０ｆとによって挟まれた状態となっている。作業者が足を引っ掛ける等の不測の事象によって、電子機器筐体１に対してＡＣケーブル１０が引っ張られた場合、インレット端子２に対するコネクタ１１の嵌合力に加えて、前記押圧片４０ｆによる押圧力によって、コネクタ１１はインレット端子２から極めて抜け難いものとなっている。
【００４６】
（押さえ金具の装着手順）
次に、押さえ金具４０を、電子機器筐体１に装着する手順について説明する。前述したように、押さえ金具４０は、ＡＣケーブル１０のコネクタ１１を電子機器筐体１のインレット端子２に差し込んだ後に、装着される。図１７及び図１８は、押さえ金具４０の装着の手順を説明するための側断面図である。押さえ金具４０は、図１７に示されるように、最初、電子機器筐体１のスリット１ａに対して、その取り付け部４０ｃの上部を挿入し、溝部４０ｄがスリット１ａの上端に来る位置まで持ち上げられる。このようにすることで、取り付け部４０ｃの下端がスリット１ａの内側にくぐり抜けできる位置に来る。
【００４７】
この状態から、取り付け部４０ｃの下部をスリット１ａの内側に押し込み、取り付け部４０ｃの下端がスリット１ａを完全に超えたところで、押さえ金具４０全体を下方に引き下げる。このようにすることで、係合溝４０ｅは、スリット１ａの下部に至り、ここに係合して、押さえ金具４０は、図１８に示すように、電子機器筐体１にしっかりと固定されることとなる。押さえ金具４０の装着の過程で、押さえ金具４０の垂直部４０ｂに形成された押圧片４０ｆの先端は、コネクタ１１の基部１１ｂの側面に当たって、結果、スリット部４０ｇで後方側と分離された垂直部４０ｂが外側に変形する。そして、図１８に示す押さえ金具４０の固定位置において、コネクタ１１の下方に抜けて復帰し、押圧片４０ｆは下側からコネクタ１１の両側に弾発的に係合し、これを支える形となる。
【００４８】
一方で、電子機器筐体１から押さえ金具４０を取り外す場合は、押さえ金具４０の垂直部４０ｂを外側に開きつつ、コネクタ１１に対する押圧片４０ｆの係合を解除し、前記手順とは逆の手順で、押さえ金具４０を引き上げてその取り付け部４０ｃをスリット１ａから抜き出せばよい。
【００４９】
本実施の形態３に係る押さえ金具４０及びこれを用いたコネクタの抜け止め構造によっても、比較的簡単な構造の金具により、確実にコネクタの抜け止めが図られ、しかも、メーカーが異なる等によってコネクタの形状が変わる場合においても、押圧片による安定的な固定が達成され、その機能が損なわれることはない。
【００５０】
〔III〕実施の形態に対する変形例
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００５１】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００５２】
（押さえ金具の形状及びその取付け態様）
本発明に係る押さえ金具の形状や構成は、前記各実施の形態に示されたものに限らず、特許請求の範囲に示した構成の範囲内において種々の変形がなし得る。各押圧片の配置、具体的な形状、個数などは、任意に定めうる。前記各実施の形態における押さえ金具を上下反転して、電子機器筐体側に取付けるようにしても、本発明の目的は達成可能である。また、前記各実施の形態においては、電子機器筐体にコネクタを装着した後に押さえ金具を装着する手順を示したが、各実施の形態において、先に押さえ金具を電子機器筐体に装着しておき、ここにコネクタを取り付けるようにすることも可能である。
【産業上の利用可能性】
【００５３】
この発明に係るコネクタの抜け止め構造は、電子機器筐体のインレット端子に装着されたコネクタを抜け難くすることに有用である。
【図面の簡単な説明】
【００５４】
【図１】実施の形態１に係る押さえ金具の装着状態を示す斜視図である。
【図２】実施の形態１に係る押さえ金具を装着する前のコネクタ接続部分の斜視図である。
【図３】実施の形態１に係る押さえ金具の一部を破断して示す斜視図である。
【図４】実施の形態１に係る押さえ金具の装着状態における断面図である。
【図５】実施の形態１に係る押さえ金具の装着の手順を説明するための側断面図である。
【図６】実施の形態１に係る押さえ金具の装着の手順を説明するための側断面図である。
【図７】実施の形態１に係る押さえ金具の装着の手順を説明するための側断面図である。
【図８】実施の形態２に係る押さえ金具の装着状態を示す斜視図である。
【図９】実施の形態２に係る押さえ金具を装着する前のコネクタ接続部分の斜視図である。
【図１０】実施の形態２に係る押さえ金具の斜視図である。
【図１１】実施の形態２に係る押さえ金具の装着状態における正面図である。
【図１２】実施の形態２に係る押さえ金具の装着の手順を説明するための側断面図である。
【図１３】実施の形態２に係る押さえ金具の装着の手順を説明するための側断面図である。
【図１４】実施の形態３に係る押さえ金具の装着状態を示す斜視図である。
【図１５】実施の形態３に係る押さえ金具の斜視図である。
【図１６】実施の形態３に係る押さえ金具の装着状態における正面図である。
【図１７】実施の形態３に係る押さえ金具の装着の手順を説明するための側断面図である。
【図１８】実施の形態３に係る押さえ金具の装着の手順を説明するための側断面図である。
【符号の説明】
【００５５】
１  電子機器筐体
１ａ  スリット
１ｂ  ロック穴
２  インレット端子
１０  ＡＣケーブル
１１  コネクタ
１１ａ  嵌合部
１１ｂ  基部
２０  押さえ金具
２０ａ上部
２０ｂ  垂直部
２０ｃ  取り付け部
２０ｄ  溝部
２０ｅ  突起部
２０ｆ  押圧片
３０  押さえ金具
３０ａ上部
３０ｂ  垂直部
３０ｃ  取り付け部
３０ｄ  溝部
３０ｅ  係合溝
３０ｆ  押圧片
４０  押さえ金具
４０ａ上部
４０ｂ  垂直部
４０ｃ  取り付け部
４０ｄ  溝部
４０ｅ  係合溝
４０ｆ  押圧片
４０ｇ  押圧面
【図１】
2007323962.tif 000003
【図２】
2007323962.tif 000004
【図３】
2007323962.tif 000005
【図４】
2007323962.tif 000006
【図５】
2007323962.tif 000007
【図６】
2007323962.tif 000008
【図７】
2007323962.tif 000009
【図８】
2007323962.tif 000010
【図９】
2007323962.tif 000011
【図１０】
2007323962.tif 000012
【図１１】
2007323962.tif 000013
【図１２】
2007323962.tif 000014
【図１３】
2007323962.tif 000015
【図１４】
2007323962.tif 000016
【図１５】
2007323962.tif 000017
【図１６】
2007323962.tif 000018
【図１７】
2007323962.tif 000019
【図１８】
2007323962.tif 000020